(57)【特許請求の範囲】
【請求項１】
延長管に連結するための基部と、該基部に連なり塵埃を吸込む先端を有するノズル部を有するスキマ吸込口と、
上記ノズル部に略軸方向に移動可能に取り付けられると共に、ブラシ取付部の先端にブラシを有するブラシ部材と
を備え、
上記ノズル部の上側に、上記ブラシ取付部が嵌合して係止する段差凹部が形成され、該段差凹部の上記スキマ吸込口の基部側の面が段差をなし、
上記段差凹部が段差下端から上記スキマ吸込口の先端側に行くに連れて深さが浅くなる勾配を有し、上記勾配は、その勾配の先端側の部分が上記段差の上端よりも高くなるようにしたことを特徴とするスキマ吸込口アッセンブリ。
【請求項２】
請求項１に記載のスキマ吸込口アッセンブリにおいて、
上記ブラシの先端面は、上記ブラシ部材の軸に対して傾斜していることを特徴とするスキマ吸込口アッセンブリ。
【請求項３】
請求項１に記載のスキマ吸込口アッセンブリにおいて、
上記段差の上端よりも高くなる上記勾配の部分に対向する上記ノズル部の下端には、切欠きが設けられていることを特徴とするスキマ吸込口アッセンブリ。
【請求項４】
請求項１乃至３のいずれか１つに記載のスキマ吸込口アッセンブリにおいて、
上記ノズル部と上記ブラシ部材との互いに相対する位置に補助係止部を設けたことを特徴とするスキマ吸込口アッセンブリ。
【請求項５】
請求項１乃至４のいずれか１つに記載のスキマ吸込口アッセンブリを延長管に連結してなることを特徴とする電気掃除機。
【発明の詳細な説明】
【技術分野】
【０００１】
この発明は、スキマ吸込口アッセンブリおよび電気掃除機に関し、より詳しくは、スキマ吸込口と、このスキマ吸込口に軸方向に移動可能に取り付けたブラシ部材とを有するスキマ吸込口アッセンブリおよび電気掃除機に関する。
【背景技術】
【０００２】
従来、この種の電気掃除機としては、家具と壁との間のような狭所の掃除や、壁面や天井のような室の上部の掃除を行う場合に使用するスキマ吸込口に、ブラシを有するブラシ部材を軸方向に進退可能に取り付けたものがある（特開平８−１９１７８２号公報：特許文献１参照）。
【０００３】
このような電気掃除機は、図９に示すように、スキマ吸込口２１と、ブラシ取付部２２の先端にブラシ２５を植毛してなるブラシ部材２０とを備え、このブラシ部材２０はスキマ吸込口２１の先端から突出する突出位置（想像線で示す位置）と、先端から離れて没入した没入位置（実線で示す位置）とに移動可能になっていて、かつ、係止できるようになっている。
【０００４】
上記ブラシ部材２０がスキマ吸込口２１の先端に係止された突出位置にあるときはブラシ２５を使い、一方、先端から離れた没入位置にあるときはブラシ２５を使用しないでスキマ吸込口２１に直接塵埃を吸い込む。この突出位置または没入位置にブラシ部材２０を係止するには、図１０〜図１３に示すように、スキマ吸込口２１の外周の側面に設けた凹部２３と、ブラシ取付部２２の内周の側面に設けた凸部２４とを係止させている。
【０００５】
しかしながら、図９において想像線で示すように、ブラシ部材２０を先端の突出位置に位置させ、ブラシ２５を床面等の被掃除面２６に当てて操作したときに、この被掃除面２６からブラシ２５にかかる力は矢印Ｆの方向となるため、ブラシ２５を被掃除面２６に強く押し付けたときに、ブラシ取付部２２の凸部２４がスキマ吸込口２１の凹部２３から外れてしまって、ブラシ部材２０がスキマ吸込口２１の基部２１ａ側に移動して没入してしまうという問題がある。
【０００６】
他方、ブラシ部材２０が被掃除面２６からの力で没入しないように、ブラシ取付部２２の凸部２４とスキマ吸込口２１の凹部２３との係止を強くすると、ブラシ２５を使わないときに、ブラシ部材２０をスキマ吸込口２１の先端の突出位置から基部２１ａ側の没入位置に移動させるのが困難になる。このように、上記ブラシ部材２０の没入防止と、その移動の容易性とは、トレードオフの関係にあるため、ブラシ部材２０が被掃除面２６からの力で没入するのを防止するのが困難であるという問題がある。
【０００７】
また、図１４に示すように、ブラシ部材３２をスキマ吸込口３１の先端にピン３３を中心に回転可能に係止するという係止方式がある。この場合、ブラシ３５を使用しないとき、ブラシ３５がスキマ吸込口３１の基部３１ａ側に向くように、ブラシ部材３２を矢印に示すように回転してスキマ吸込口３１に係止するが、このとき、ブラシ３５の方向は使用者の方向を向くことになって、ブラシ３５に付着した汚れたゴミが使用者側にあり、使用者に不潔感を強くさせるという問題がある。
【特許文献１】特開平８−１９１７８２号公報
【発明の開示】
【発明が解決しようとする課題】
【０００８】
そこで、この発明の課題は、ブラシ部材が被掃除面から力を受けても、ブラシ部材がスキマ吸込口の先端から基部側に移動して没入するのを防止することができ、かつ、使用者によるブラシ部材の移動が容易で、清潔感を損なわないスキマ吸込口アッセンブリおよび電気掃除機を提供することにある。
【課題を解決するための手段】
【０００９】
上記課題を解決するため、この発明のスキマ吸込口アッセンブリは、
延長管に連結するための基部と、該基部に連なり塵埃を吸込む先端を有するノズル部を有するスキマ吸込口と、
上記ノズル部に略軸方向に移動可能に取り付けられると共に、ブラシ取付部の先端にブラシを有するブラシ部材と
を備え、
上記ノズル部の上側に、上記ブラシ取付部が嵌合して係止する段差凹部が形成され、該段差凹部の上記スキマ吸込口の基部側の面が段差をなし、
上記段差凹部が段差下端から上記スキマ吸込口の先端側に行くに連れて深さが浅くなる勾配を有し、上記勾配は、その勾配の先端側の部分が上記段差の上端よりも高くなるようにした
ことを特徴としている。
【００１０】
上記構成によれば、上記ブラシ部材がスキマ吸込口の先端に移動して突出位置にあるときには、ブラシ取付部が段差凹部に嵌合し、段差に係止される。このとき、上記ブラシが床面等の被掃除面からスキマ吸込口の軸方向に対して傾斜した力を受けると、ブラシ部材にブラシ取付部の端面と段差凹部の段差との係止位置を中心とする回転方向の力が働いて、ブラシ取付部の端部が段差凹部に食い込む。したがって、上記ブラシ部材のブラシ取付部の端面とスキマ吸込口の段差凹部の段差との係止が外れることがない。したがって、使用時、床面等の被掃除面からブラシが斜めの力を受けても、ブラシ部材が突出位置から移動して没入することがない。
【００１１】
また、上記ブラシ部材を突出位置から没入位置に移動させるときには、ブラシ部材を被掃除面から離して軸方向に対して傾斜した力を受けないようにして、ブラシ取付部の端面と段差との係止を外して、ブラシ部材を没入位置に向けて容易に軸方向に移動させることができる。
【００１２】
また、上記ブラシ部材は、上記スキマ吸込口に対して基本的には軸方向に移動するだけで、塵、ゴミ等が付いたブラシの先端が使用者の方に向くことがないから、使用者に不潔感を与えることがない。
また、上記段差凹部の段差の下端からスキマ吸込口の先端側にいくに連れて深さが浅くなり、さらに、上記段差の上端よりも高くなる勾配を有する。このため、上記勾配に沿って、上記ブラシ部材のブラシ取付部がスキマ吸込口の段差凹部に殆ど隙間無く嵌合すると同時に、上記ブラシ取付部の端面が段差に鋭く食い込んで、ブラシ取付部の端面と段差との係合が強くなる。したがって、使用時に、ブラシが床等から力を受けても、ブラシ部材が突出位置から移動して没入することがない。
もし、上記段差の上端よりも高くなる上記勾配が無かったとすると、段差凹部の分だけの隙間ができて、強固な係止ができなくなる場合があり、また、段差凹部への食い込みを強く案内することができなくなる場合があるのである。
【００１３】
１実施形態では、上記ブラシの先端面は、上記ブラシ部材の軸に対して傾斜している。
【００１４】
上記実施形態によれば、上記ブラシの先端面がブラシ部材の軸に対して傾斜しているから、上記ブラシの先端面と一致する床面等の被掃除面からの力が、ブラシ部材を回転させる方向に作用することになって、ブラシ取付部の端部を段差凹部に確実に食い込ませることができる。したがって、使用時に、ブラシが床等から力を受けても、ブラシ部材が突出位置から移動することがない。
【００１５】
【００１６】
【００１７】
【００１８】
また、１実施形態では、上記段差の上端よりも高くなる上記勾配の部分に対向する上記ノズル部の下端には、切欠きが設けられている。
【００１９】
上記実施形態によれば、上記段差の上端よりも高くなる上記勾配の部分に対向する上記スキマ吸込口の部分に、切欠きが設けられているから、上記段差の上端よりも高くなる上記勾配の部分が有っても、上記ブラシ部材をスキマ吸込口に組み付ける際に、上記ブラシ部材をスキマ吸込口に簡単に嵌合できる。
【００２０】
また、１実施形態では、上記ノズル部と上記ブラシ部材との互いに相対する位置に補助係止部を設けている。
【００２１】
上記実施形態によれば、上記スキマ吸込口およびブラシ部材に、互いに相対する例えば凹凸等の補助係止部を設けているので、上記スキマ吸込口に対するブラシ部材の係止を補強できる。さらに、上記ブラシ部材が被掃除面からの回転する方向の力を受けると、上記互いに係止している補助係止部の位置を中心にブラシ部材が回転することになって、ブラシ取付部の端部を段差凹部に一層確実に食い込ませることができる。
【００２２】
また、１実施形態では、柔軟な上記ブラシと剛体である上記ブラシ取付部とが同一材料にて一体に成形されている。
【００２３】
上記実施形態によれば、上記ブラシとブラシ取付部とが同一材料にて一体に成形されているから、材料の種類が少なくて、材料費、管理費が安くなり、また、金型も一面の金型に全部分を入れることにより、金型代節約、成形工賃の節約ができる。
【００２４】
また、１実施形態では、上記スキマ吸込口と上記ブラシ部材とが同一材料で成形されている。
【００２５】
上記実施形態によれば、上記スキマ吸込口と上記ブラシ部材との異なる部品が同一材料で成形されているから、材料の種類が少なくて、材料費、管理費が安くなり、また、金型も共取りにより一面の金型に異なる部品を入れることにより、金型代節約、成形工賃の節約ができる。
また、この発明の電気掃除機は、上述の吸込口アッセンブリを延長管に連結してなる。
【発明の効果】
【００２６】
この発明によれば、ブラシ部材がスキマ吸込口の先端に移動して突出位置にあるときには、ブラシが床面等の被掃除面から軸方向に対して傾斜した力を受けたときに、ブラシ取付部の端部が食い込む段差凹部をスキマ吸込口に設けているので、被掃除面から軸方向に対して傾斜した力が掛かっても、ブラシ取付部の端部が段差凹部に食い込むことになって、ブラシ取付部の端面とスキマ吸込口の段差凹部の段差との係止が外れることがなくて、ブラシ部材が突出位置から後退して没入することがない。
【００２７】
また、この発明によれば、上記ブラシ部材を突出位置から没入位置に位置させるときには、ブラシ部材が被掃除面から離して、ブラシが軸方向に対して傾斜した力を受けないようにした後、ブラシ取付部の端部が段差凹部に食い込む方向とは反対の方向に力を加えて、ブラシ取付部の端部と段差との係合を外して、ブラシ部材を軸方向に容易に移動させることができる。
【００２８】
また、この発明によれば、上記ブラシ部材は、上記スキマ吸込口に対して基本的には軸方向に移動するだけで、ゴミが付いたブラシの先端が使用者の方に向くことがないから、使用者に不潔感を与えることがない。
【発明を実施するための最良の形態】
【００２９】
以下、この発明を図示の実施形態により詳細に説明する。
【００３０】
図１は、スキマ吸込口１の先端の突出位置にブラシ部材２が嵌合している状態を示す図であり、図２は、スキマ吸込口１の先端から離れた基部側の没入位置にブラシ部材２が嵌合している状態を示す図である。
【００３１】
図１および２に示すように、この実施形態のスキマ吸込口アッセンブリは、上記スキマ吸込口１と、このスキマ吸込口１に軸方向に移動可能に嵌合したブラシ部材２とを備え、このスキマ吸込口１は、図示しないが、延長管およびホースを介して、モータや吸い込みファン等を有する電気掃除機本体に接続している。
【００３２】
上記ブラシ部材２は、剛体の樹脂（例えばポリプロピレンなどのプラスチック材料）からなるブラシ取付部３と、このブラシ取付部３の先端に植毛した軟質の材料からなるブラシ４とからなる。上記ブラシ取付部２は、略角筒状をしていて、側面視で、図１および２に示すように、略台形状をしている。このブラシ取付部３の先端の斜面に植毛したブラシ４の先端面５は、ブラシ部材２の軸心に対して傾斜している。
【００３３】
一方、上記スキマ吸込口１は、上記図示しない延長管に連結される基部１ａと、この基部１ａに連なる先端がナイフ状に尖ったノズル部１ｂとからなる。図３（Ｂ）に示すように、上記基部１ａは略円筒状をしており、ノズル部１ｂは断面矩形の角筒状をしている。
【００３４】
上記スキマ吸込口１のノズル部１ｂの上側には、図３（Ａ）に示すように、段差凹部１４を設け、この段差凹部１４に、突出位置にあるブラシ部材２のブラシ取付部３を嵌合して係止するようにしている。この段差凹部１４は、スキマ吸込口１の基部１ａ側の面が段差１３からなり、底面は、上記段差１３の下端からスキマ吸込口１の先端側にいくに連れて深さが浅くなり、さらに、上記段差１３の上端よりも高くなる勾配１５の一部からなる。こうして、上記段差１３よりもスキマ吸込口１の基部１ａ側のノズル部１ｂの上縁線８よりも、つまり、段差１３の上端よりも、上記勾配１５の先端側の部分１７を高くして、この勾配１５の高くなった部分１７とノズル部１ｂの下縁線８’との間の寸法を、上記ノズル部１ｂの上縁線８と下縁線８’との間の寸法よりも、大きくしている。こうして、上記段差凹部１４の底面がノズル部１ｂの上縁線８よりも低くても、スキマ吸込口１の段差凹部１４とブラシ部材２の内面９との嵌合が確実になると同時に、ブラシ部材２のブラシ取付部３の端面７の段差１３への係合が強固になるようにしている。
【００３５】
上記段差１３の上端よりも高くなる勾配１５の部分１７に対向するノズル１ｂの部分には、切欠き１９を設けている。
【００３６】
上記構成の電気掃除機において、いま、図１に示すように、上記ブラシ部材２がスキマ吸込口１のノズル部１ｂの先端側の突出位置にあり、ブラシ取付部３が段差凹部１４に嵌合して、ブラシ部材２がスキマ吸込口１に係止されているとする。この状態で、上記ブラシ部材２のブラシ４の先端面を床面等の被掃除面５に押し付けて掃除すると、上記ブラシ４の先端面がブラシ部材１の軸に対して傾斜しているから、上記ブラシ４の先端面と略一致する被掃除面５からの力Ｆは、上記軸の方向に対して斜めに作用して、ブラシ部材２を回転させる方向の成分ＦＹとブラシ部材２を軸方向に押す成分ＦＸとを持つ。したがって、ブラシ取付部２の端面７を段差凹部１４に強く食い込ませる力ＦＢが作用することになって、上記端面７を段差１３に強く係合する。したがって、使用時に、ブラシ４が被掃除面５から力を受けても、ブラシ部材２が突出位置から軸方向に移動して没入することがない。
【００３７】
さらに、上記スキマ吸込口１の段差凹部１４の段差１３の下端からスキマ吸込口１の先端側にいくに連れて深さが浅くなり、さらに、上記段差１３の上端よりも高くなる勾配１５を設けているので、上記勾配１５に沿って、上記ブラシ部材２のブラシ取付部３がスキマ吸込口１の段差凹部１４に殆ど隙間無く嵌合すると同時に、上記ブラシ取付部３の端面７が段差１３に鋭く食い込む。したがって、上記ブラシ４が被掃除面５から軸に対して斜めの力を受けても、ブラシ部材２がスキマ吸込口１の先端から基部側に移動して没入するのを防止することができる。したがって、使用時に、ブラシ部材２が床等の被掃除面５から力を受けても、ブラシ部材２が突出位置から軸方向に移動して没入することがない。
【００３８】
特に、上記勾配１５の先端側の部分１７が段差１３の上端よりも高いから、段差凹部１４へのより確実な案内と、より強固な嵌合および係止ができる。
【００３９】
なお、上記勾配１５の先端側の部分１７が段差１３の上端よりも高くても、この部分１７に対向するノズル部１ｂの下側に切欠き１９があるから、上記ブラシ部材２のブラシ取付部３をスキマ吸込口１のノズル部１ｂおよび段差凹部１４に組み付ける際にスムーズに嵌合できる。
【００４０】
次に、上記ブラシ部材２を図１に示す突出位置から図２に示す没入位置に移動させるときには、ブラシ４を被掃除面５から離した後、ブラシ取付部３に矢印ＦＢと反対方向に力を加えて、ブラシ取付部３の端面７と段差１３との係合を外して、ブラシ取付部３をスキマ吸込口１の基部１ａに当接するまで軸方向に移動させて、没入位置に位置させる。このように、単に、矢印ＦＢと反対方向に力を加えて、軸方向に押すだけで、ブラシ部材２を簡単に没入位置に移動させることができる。
【００４１】
なお、上記ブラシ部材２のブラシ取付部３の内面９と、スキマ吸込口１のノズル部１ｂとは、上記没入位置においては、僅かな締まり嵌めあるいは止まり嵌めになっていて、上記ブラシ部材２を没入位置に保持できるようになっている。
【００４２】
図４〜７は、他の実施形態を示し、図１〜３に示す実施形態とは、補助係止部を有する点のみが異なる。したがって、図１〜３に示す実施形態の構成部と同一構成部は同一参照番号を付して説明を省略し、異なる構成部のみについて以下に説明する。
【００４３】
図４および６に示すように、スキマ吸込口１のノズル部１ｂの側面に、溝状の凹部からなる補助係止部１０を設けている。この補助係止部１０は、突出位置に対応する深い凹部１０ａと没入位置に対応する深い凹部１０ｂと、この深い凹部１０ａと１０ｂとの間の浅い凹部１０ｃとからなる。
【００４４】
一方、ブラシ部材２のブラシ取付部３の端部の内面には、凸部からなる補助係止部１１を設けている。このブラシ部材２の補助係止部１１は、スキマ吸込口１の補助係止部１０の深い凹部１０ａおよび１０ｂに係止して、ブラシ部材２を突出位置と没入位置とに補助的に位置決めするようにしている。上記凸部からなる補助係止部１１は、補助係止部１０の浅い凹部１０ｃを通って、上記両深い凹部１０ａと１０ｂとの間をスムーズに移動することができる。
【００４５】
上記実施形態によれば、上記スキマ吸込口１およびブラシ部材２のブラシ取付部３に、互いに相対する凹部と凸部とからなる補助係止部１０および１１を設けているので、上記スキマ吸込口１に対するブラシ部材２の係止を補強できる。さらに、上記ブラシ部材２のブラシ４が被掃除面からの回転する方向の力を受けると、突出位置において互いに係止している補助係止部１０の深い凹部１０ａおよび補助係止部１１の位置を中心にブラシ取付部３が回転することになって、ブラシ取付部３の端部を段差凹部１４に一層確実に食い込ませることができる。
【００４６】
上記実施形態では、上記スキマ吸込口１に凹部からなる補助係止部１０を、ブラシ取付部３に凸部からなる補助係止部１１を設けたが、この凹凸の関係を逆にしてもよい。
【００４７】
図８は、他の実施形態のブラシ部材５２を示し、このブラシ部材５２は、図１、３または４に示すスキマ吸込口１とともに使用される。
【００４８】
このブラシ部材５２は、全体が、例えば、ＰＰ（ポリプロピレン）などのプラスチック材料からなっていて、柔軟なブラシ５４と剛体であるブラシ取付部５３とを同一プラスチック材料にて一体に成形している。
【００４９】
上記実施形態によれば、上記ブラシ５４とブラシ取付部５３とが同一プラスチック材料にて一体に成形されているから、材料の種類が少なくて、材料費、管理費が安くなり、また、金型も一面の金型に全てを入れることにより、金型代節約、成形工賃の節約ができる。
【００５０】
さらに、上記ブラシ部材５２と上記スキマ吸込口１とを、例えばＰＰなどのプラスチック同一材料で成形してもよい。
【００５１】
そうすれば、上記スキマ吸込口１と上記ブラシ部材５２との異なる部品が同一材料で成形されることになるから、材料の種類が少なくて、材料費、管理費が安くなり、また、金型も共取りにより一面の金型に全部品を入れることにより、金型代節約、成形工賃の節約ができる。
【００５２】
上記実施形態では、上記スキマ吸込口１の段差凹部１４の段差１３の下端からスキマ吸込口１の先端側にいくに連れて深さが浅くなる勾配１５に、段差１３の上端よりも高い部分１７を設けたが、この高い部分１７を設けずに、段差凹部１４とは反対側の面、つまり、下側の面に、図示しないが、強固な嵌合と係止を目的とする膨出部を設けるようにしてもよい。
【００５３】
また、上記実施形態では、スキマ吸込口１のノズル部１ｂの先端の下端に切欠き１９を設けたが、ノズル部１ｂの先端面の傾きが大きい場合には、この切欠き１９を設けなくてもよい。
【００５４】
また、上記実施形態では、上記ブラシ４，５４の先端面は、上記ブラシ部材２、５２の軸に対して傾斜していたが、ブラシの先端面はブラシ部材の軸に直角であってもよい。
【図面の簡単な説明】
【００５５】
【図１】この発明の１実施形態の電気掃除機のブラシ部材をスキマ吸込口の先端の突出位置に取付けた状態を示す正面図である。
【図２】上記実施形態のブラシ部材をスキマ吸込口の先端から離れた没入位置に取付けた状態を示す正面図である。
【図３】図３（Ａ）は上記実施形態のスキマ吸込口の正面図であり、図３（Ｂ）は図３（Ａ）のスキマ吸込口を先端から見た図であり、図３（Ｃ）は、ブラシ部材の正面図である。
【図４】他の実施形態のスキマ吸込口の正面図である。
【図５】上記実施形態のブラシ部材の正面図である。
【図６】図４のＡ−Ａ断面図である。
【図７】図５のＢ−Ｂ断面図である。
【図８】他の実施形態のブラシ部材の正面図である。
【図９】従来のスキマ吸込口とブラシ部材との組み合わされた状態を示す正面図である。
【図１０】上記スキマ吸込口の正面図である。
【図１１】上記ブラシ部材の正面図である。
【図１２】図１０のＣ−Ｃ断面図である。
【図１３】図１１のＤ−Ｄ断面図である。
【図１４】従来の回転移動するブラシ部材とスキマ吸込口との図である。
【符号の説明】
【００５６】
１  スキマ吸込口
２、５２  ブラシ部材
３、５３  ブラシ取付部
４、５４  ブラシ
５  被掃除面
７  ブラシ取付部の端面
９  ブラシ取付部の内面
１０、１１  補助係止部
１３  段差
１４  段差凹部１
１５  勾配
１９  切欠き
【図１】
0004464349.tif 000002
【図２】
0004464349.tif 000003
【図３】
0004464349.tif 000004
【図４】
0004464349.tif 000005
【図５】
0004464349.tif 000006
【図６】
0004464349.tif 000007
【図７】
0004464349.tif 000008
【図８】
0004464349.tif 000009
【図９】
0004464349.tif 000010
【図１０】
0004464349.tif 000011
【図１１】
0004464349.tif 000012
【図１２】
0004464349.tif 000013
【図１３】
0004464349.tif 000014
【図１４】
0004464349.tif 000015